(57)【要約】【課題】二次電池供給を効率的且つ経済的に管理して、具体的に円滑に運用できサービス向上を図ることのできる二次電池供給システム及び方法を得る。【解決手段】充電施設（Ａ）２Ａに設けられて二次電池３ａ，３ｂの充電を管理する二次電池管理装置４１Ｍ，４２Ｍと、これらを管理する総合管理装置２１Ａと、充電施設情報を提供する情報提供装置２２Ａを備え、二次電池管理装置は、二次電池３ａ，３ｂの供給可否に関する二次電池供給情報を総合管理装置２１Ａへ送信し、総合管理装置２１Ａは、情報提供装置２２Ａからの問合せに基づいて当該の充電施設２に保有されている供給可能な二次電池に関する充電施設情報を応答し、情報提供装置２２Ａは、総合管理装置２１Ａに関して問いあわせる問合せ処理、及び総合管理装置２１Ａからの応答に基づいて充電施設情報を提供する。【選択図】図１
2009021088.tif 000002
【特許請求の範囲】
【請求項１】
充電施設に設けられて二次電池の充電を管理する二次電池管理装置と、前記二次電池管理装置を複数管理する総合管理装置と、利用者に充電施設情報を提供する情報提供装置を備え、前記総合管理装置を前記二次電池管理装置と前記情報提供装置とに通信可能に接続した二次電池供給システムであって、
前記二次電池管理装置は、二次電池の供給可否に関する二次電池供給情報を前記総合管理装置へ送信制御する制御手段を備え、
前記総合管理装置は、前記情報提供装置からの問合せに基づいて当該充電施設に保有されている供給可能な二次電池に関する充電施設情報を応答する制御手段を備え、
前記情報提供装置は、前記総合管理装置に関して問いあわせる問合せ処理、及び前記総合管理装置からの応答に基づいて前記充電施設情報を提供する情報提供処理を実行する制御手段を備える
ことを特徴とする二次電池供給システム。
【請求項２】
前記充電施設情報は、充電施設の位置を含むことを特徴とする請求項１記載の二次電池供給システム。
【請求項３】
前記二次電池管理装置は、二次電池の供給価格に関する供給価格情報を前記総合管理装置へ送信制御する制御手段を備え、前記充電施設情報は、二次電池の供給価格を含むことを特徴とする請求項１又は２に記載の二次電池供給システム。
【請求項４】
前記情報提供装置に、充電施設の選択入力を受容する入力受容手段を備え、該入力受容手段が前記情報提供装置の制御手段を介して、選択入力された充電施設の二次電池を予約する予約処理の実行を可能としたことを特徴とする請求項１乃至３のいずれか１項に記載の二次電池供給システム。
【請求項５】
前記二次電池管理装置に、利用者を識別する利用者識別情報を取得する二次電池情報取得手段を備え、前記二次電池管理装置の制御手段は、二次電池を供給する際に、取得した利用者識別情報と充電施設の充電施設識別情報と実際の取引金額情報とを送信する取引情報送信処理を実行し、前記総合管理装置の制御手段は、前記利用者識別情報と充電施設識別情報と取引金額情報とを受信し、受信した情報に基づいて利用者からの料金徴収処理と充電施設への料金支払い処理とを実行可能とすることを特徴とする請求項１乃至４のいずれか１項に記載の二次電池供給システム。
【請求項６】
被交換電池あたりの構成料金が、定額料金に基づく基本料金、放電電力量に基づく従量料金、放電中に該二次電池に加えられたストレスおよび劣化を配慮した割引料金を含んで構成され、前記取引金額情報が、前記交換電池あたりの構成料金に基づき算定されることを特徴とする請求項５に記載の二次電池供給システム。
【請求項７】
前記総合管理装置が、前記二次電池を使用する負荷装置が前記二次電池と予め想定される化石燃料を動力として利用した場合との二酸化炭素排出量を比較した差分情報を基に環境貢献度情報を算出する手段を備え、利用者からの前記料金徴収処理時に料金情報の一部として前記環境貢献度情報を送信することを特徴とする請求項５叉は６に記載の二次電池供給システム。
【請求項８】
充電施設に設けられて複数の二次電池の充電を管理する二次電池管理装置と、前記二次電池管理装置を複数管理する総合管理装置と、利用者に充電施設情報を提供する情報提供装置とが備えられ、前記総合管理装置が前記二次電池管理装置と前記情報提供装置とに通信可能に接続された二次電池供給システムにおいて、
前記二次電池管理装置は、二次電池の供給可否に関する二次電池供給情報を前記総合管理装置へ送信し、前記情報提供装置は、前記総合管理装置からの応答に基づいて前記充電施設情報を提供することを特徴とする二次電池供給方法。
【発明の詳細な説明】
【技術分野】
【０００１】
この発明は、二次電池供給システム、及び二次電池供給方法に関し、特に、放電した二次電池を充電された二次電池と交換することにより二次電池の供給を円滑に行う二次電池供給システム、及び二次電池供給方法に関する。
【背景技術】
【０００２】
リチウム電池等の二次電池の開発は、エネルギーの高効率利用、より環境にやさしいクリーンエネルギー利用を目指し、急速に進展してきている。エネルギー密度、小型自動車での走行性能、安全性などの技術面ではかなりの解決進展が見られる。しかし、電気自動車などでの利用に当り充電時間短縮化が未解決であるため、使い勝手が悪く、現実の具体的利用における障害となっている。このため、ユーザが放電された２次電池を自分で充電することなく、簡単に短時間で充電済みの２次電池と交換できるようにし、２次電池を１次電池と同様に簡便且つ安価に使用できるようにして、２次電池の普及、さらには電気自動車の普及を図ると共に、充電不能になった２次電池も安全且つ確実に回収できるようにして、電池の廃棄による環境汚染の問題も解決することを目的とした技術が提案されている。これは、複数の電池充電処理装置１を、通信回線３を介して共通の管理装置２に接続する。電池充電処理装置１に登録されたカードを挿入した後、放電した２次電池を投入すると、そのカード情報と電池情報が読み取られて、同じ種類の充電済み電池が排出される。その料金は利用履歴と共に管理装置２に記憶され、一定期間毎に利用明細書が発行されると言うものである（特許文献１）。
【特許文献１】特開平９−１５３３７６号公報（要約、図１、段落０００６）
【発明の開示】
【発明が解決しようとする課題】
【０００３】
しかしながら、交換可能な二次電池を何時でも各処に十分に保管しておくことは、場所、在庫への投資、流通上の偏りから、困難である。上記の提案では、電池充電処理装置があって、そこで簡単に、放電した２次電池を投入すると、そのカード情報と電池情報が読み取られて、同じ種類の充電済み電池が排出されるとしており、電池充電処理装置の機能が中心に発明が考えられている。二次電池交換システム全体としての保管と供給の融通への配慮は、なされていない。このため、二次電池供給を具体的に円滑運用することにおいて問題が残る。また、充電された電池と放電された電池を有料で交換する充電システムを開示してはいるが、料金構成などの普及のための経済的工夫については、開示されていない。
【０００４】
ここで解決しようとする課題は、二次電池供給システムにおける二次電池を効率的且つ経済的に管理して、二次電池供給を具体的に円滑に運用できサービス向上を図ることのできる二次電池供給システム及び方法の提供である。
【課題を解決するための手段】
【０００５】
上記課題を解決するため、本発明は、充電施設に設けられて二次電池の充電を管理する二次電池管理装置と、前記二次電池管理装置を複数管理する総合管理装置と、利用者に充電施設情報を提供する情報提供装置を備え、前記総合管理装置を前記二次電池管理装置と前記情報提供装置とに通信可能に接続した二次電池供給システムであって、前記二次電池管理装置は、二次電池の供給可否に関する二次電池供給情報を前記総合管理装置へ送信制御する制御手段を備え、前記総合管理装置は、前記情報提供装置からの問合せに基づいて当該充電施設に保有されている供給可能な二次電池に関する充電施設情報を応答する制御手段を備え、前記情報提供装置は、前記総合管理装置に前記充電施設に関して問いあわせる問合せ処理、及び前記総合管理装置からの応答に基づいて前記充電施設情報を提供する情報提供処理を実行する制御手段を備える二次電池供給システムとする。これによって、二次電池管理装置は、二次電池の供給可否に関する二次電池供給情報を総合管理装置へ送信制御する制御手段を備え、情報提供装置は、総合管理装置に充電施設に関して問いあわせる問合せ処理、及び総合管理装置からの応答に基づいて充電施設情報を提供する情報提供処理を実行する制御手段を備えるため、各充電施設における二次電池の供給可否の情報を得て、利用者によるそれに基づく適切な充電施設の活用を可能とできる。ここでの充電施設情報は、少なくとも供給可能二次電池個数を含む情報、また、各二次電池の容量、製造メーカなどを含む情報であるのが望ましい。
【０００６】
また、前記充電施設情報は、充電施設の位置を含む二次電池供給システムとすれば、各充電施設における二次電池の供給可否及びそれら充電施設の位置の情報を得て、それらに基づく一層適切な充電施設の活用を可能とできる。
【０００７】
また、前記二次電池管理装置は、二次電池の供給価格に関する供給価格情報を前記総合管理装置へ送信制御する制御手段を備え、前記充電施設情報は、二次電池の供給価格を含む二次電池供給システムとすれば、二次電池供給システムにおける二次電池の供給価格を的確に管理して、二次電池供給を経済的に円滑に運用でき継続的なサービスの提供を可能とできる。
【０００８】
また、前記情報提供装置に、充電施設の選択入力を受容する入力受容手段を備え、該入力受容手段が前記情報提供装置の制御手段を介して、選択入力された充電施設の二次電池を予約する予約処理の実行を可能とした二次電池供給システムとすれば、さらに一層円滑で適切な充電施設の活用を可能とできる。
【０００９】
前記二次電池管理装置に、利用者を識別する利用者識別情報を取得する二次電池情報取得手段を備え、前記二次電池管理装置の制御手段は、二次電池を供給する際に、取得した利用者識別情報と充電施設の充電施設識別情報と実際の取引金額情報とを送信する取引情報送信処理を実行し、前記総合管理装置の制御手段は、前記利用者識別情報と充電施設識別情報と取引金額情報とを受信し、受信した情報に基づいて利用者からの料金徴収処理と充電施設への料金支払い処理とを実行可能とする二次電池供給システムとすれば、二次電池供給システムにおける二次電池供給の取引及び料金徴収を経済面から円滑に運用でき継続的なサービスの提供を具体化できる。
【００１０】
また、被交換電池あたりの構成料金が、電池保証料に基づく基本料金、放電電力量と利用時間に基づく従量料金、放電中に該二次電池に加えられたストレス度（二次電池の定格値に対する実際の放電電流および放電電力量に応じてあらかじめ定義される値であり、定格値に対して小さい電流による放電や、放電電力量が少ない場合には、ストレス度小、逆に定格値を越える電流や電力量を放電した場合はストレス度大とする。）が小の場合の割引料金、使用する電池の劣化度（放電電力量に対する充電電力量の比により算出され、比が１に近いほど劣化度は小、０に近いほど劣化度は大とする。）による割引料金、さらに前記ストレス度大の場合の割増料金（ペナルティ料金）、を含んで構成され、前記取引金額情報が、前記交換電池あたりの構成料金に基づき算定される二次電池供給システムとすれば、適切な料金構成により、システムを経済面から円滑に運用でき継続的なサービスの提供を具体化できる。
【００１１】
また、前記総合管理装置が、前記二次電池を使用する負荷装置が前記二次電池と予め想定される化石燃料を動力として利用した場合との二酸化炭素排出量を比較した差分情報を基に環境貢献度情報を算出する手段を備え、利用者からの前記料金徴収処理時に料金情報の一部として前記環境貢献度情報を送信する二次電池供給システムとすれば、環境貢献へのインセンティブを増し、二次電池利用を促進できる。
【００１２】
充電施設に設けられて複数の二次電池の充電を管理する二次電池管理装置と、前記二次電池管理装置を複数管理する総合管理装置と、利用者に充電施設情報を提供する情報提供装置とが備えられ、前記総合管理装置が前記二次電池管理装置と前記情報提供装置とに通信可能に接続された二次電池供給システムにおいて、前記二次電池管理装置は、二次電池の供給可否に関する二次電池供給情報を前記総合管理装置へ送信し、前記情報提供装置は、前記総合管理装置からの応答に基づいて前記充電施設情報を提供する二次電池供給方法とする。これによって、各充電施設における二次電池の供給可否の情報を得て、それに基づく適切な充電施設の活用が可能となる。
【発明の効果】
【００１３】
本発明の二次電池供給システムによれば、二次電池管理装置は、二次電池の供給可否に関する二次電池供給情報を総合管理装置へ送信制御する制御手段を備え、情報提供装置は、総合管理装置に充電施設に関して問いあわせる問合せ処理、及び総合管理装置からの応答に基づいて充電施設情報を提供する情報提供処理を実行する制御手段とを備えるため、各充電施設における二次電池の供給可否の情報を得て、それに基づく適切な充電施設の活用を可能とできる。また、二次電池管理装置は、二次電池の供給可否に関する二次電池供給情報を総合管理装置へ送信し、情報提供装置は、総合管理装置からの応答に基づいて充電施設情報を提供する二次電池供給方法であるため、各充電施設における二次電池の供給可否の情報を得て、それに基づく適切な充電施設の活用を可能とできる。
【発明を実施するための最良の形態】
【００１４】
以下本発明の実施の形態を図を参照しつつ説明する。
【００１５】
図１は、本発明による一実施の形態としての二次電池供給システムの全体構成概念図である。図２乃至図４は、図１の実施の形態の二次電池供給システムに用いる各装置の回路構成例を示す構成ブロック図である。
【００１６】
図１において、二次電池供給システム１には、充電施設２（ここでは複数あるが、充電施設（Ａ）２Ａ，充電施設（Ｂ）２Ｂ，充電施設（Ｃ）２Ｃのみ、を表示しており、他の充電施設も同様なため、充電施設（Ａ）２Ａのみを詳細に記載している。）が設けられている。充電施設（Ａ）２Ａには、二次電池３ａの充電を管理する二次電池管理装置４１Ｍ、二次電池３ｂの充電を管理する二次電池管理装置４２Ｍ・・・などを備えた充電設備４が設けられている。充電設備４の複数の二次電池管理装置４１Ｍ，４２Ｍを管理する総合管理装置２１Ａと、利用者ＵにインターネットＩなどの通信手段を介して充電施設情報を提供する情報提供装置２２Ａを備え、総合管理装置２１Ａを二次電池管理装置４１Ｍ，４２Ｍと情報提供装置２１Ａとに通信可能に接続する。
【００１７】
二次電池３ａ，３ｂは、それぞれ二次電池本体３１ａ，３１ｂと二次電池本体３１ａ，３１ｂのＩＤ情報および放電記録を記録している管理チップ３２ａ，３２ｂとで構成された、交換単位である。図１の右端には、負荷装置６Ａに接続された電池本体６１ａと管理チップ６２ａを有する二次電池６ａ（交換単位）を例示している。
【００１８】
ここで管理チップに蓄積される情報のうち、ＩＤ情報としては、該二次電池３（３ａ，３ｂなどの１つを便宜上３と称する。）の管理番号、定格容量等の仕様、製造メーカ、製造年月日などを含み、放電記録としては、該二次電池３の放電電流の大きさの時間推移、放電電力量などが含まれる。このうち、放電電力量は、図１右下方に示すように、例えば、該二次電池６ａが負荷装置６Ａに接続され、放電することにより該負荷装置に給電した場合の放電電流を時間積分した値である。
【００１９】
二次電池６ａ（交換単位）の蓄電電力量が下がったとき（二次電池の電圧の低下を検出するなどにより利用者に適宜な方法で通知される）に、選択された充電施設２に立ち寄り、充電済みの二次電池３と交換する。また、蓄電電力量が低下した二次電池３は、充電器（例えば４１Ｊ，４２Ｊなど）に接続され、充電される。同時に該充電器に付属されている二次電池管理装置（充電器４１Ｊに対応する二次電池管理装置は４１Ｍ）は、充電のため接続された二次電池の管理チップに接続される。該二次電池の充電記録（充電電流の大きさ、充電電流の大きさの時間推移などが含まれる）は二次電池管理装置４１Ｍに蓄積される。
【００２０】
二次電池３の状況は、図１でも例示しているように、充電中（図１では、二次電池３ａの状況として例示）、充電済（図１では、二次電池３ｂの状況として例示）が考えられる。これらの状況は、それぞれの二次電池管理装置４１Ｍ，４２Ｍ・・で判定され、二次電池３ａ，３ｂの充電完了に関する情報として二次電池のＩＤ情報と共に総合管理装置２１Ａへ送信される。同時に二次電池管理装置は、該二次電池３ａ，３ｂの管理チップ３２ａ，３２ｂに蓄積された放電記録、上記の充電記録、充電完了情報も総合管理装置へ転送する。転送された各記録は、二次電池のＩＤ情報ごとに整理され、蓄積される。その後、該二次電池管理装置の充電情報と、該二次電池管理装置に接続された該管理チップの放電記録とは削除され、次の充電や放電に備える。
【００２１】
なお、当然のことながら、二次電池３ａ，３ｂ，・・・は各充電施設（２Ａ，２Ｂ，２Ｃなど）にある任意の充電器（４１Ｊ，４２Ｊなど）に接続し、充電することが可能で、接続された充電器に設けられている二次電池管理装置（４１Ｍ，４２Ｍなど）を介して、総合管理装置に各二次電池に関する前述の情報が蓄積される。
【００２２】
総合管理装置２１Ａは、二次電池管理装置から転送された情報をもとにその二次電池の劣化度、ストレス度を算出する。また二次電池の交換回数を記録する。これらの情報は二次電池のＩＤ情報ごとに整理され、当該二次電池の情報として蓄積される。情報提供装置２２Ａからの問合せに基づいて当該充電施設２（ここでは、充電施設（Ａ）２Ａ）に保有されている供給可能な二次電池（この図１では二次電池３ｂ）に関する充電施設情報（この例では供給可能な二次電池個数、また、二次電池の容量、製造メーカなどを含むが、少なくとも供給可能な二次電池個数を含む情報である。）を回答する制御手段２１Ａ３（図３）を備える。
【００２３】
情報提供装置２２Ａは、総合管理装置２１Ａに充電施設（Ａ）２Ａに関して問いあわせる問合せ処理、及び総合管理装置２１Ａからの応答に基づいて充電施設情報を提供する情報提供処理を実行する制御手段２２Ａ４（図４）と、さらに、充電施設情報を出力する情報表示手段２２Ａ２（図４）などの出力手段とを備える。
【００２４】
このように、本二次電池供給システム１は、二次電池３の使用状況を詳細に管理することができるため、利用者に適切な料金で二次電池を供給することが可能になるとともに、各充電施設２における二次電池３ａ，３ｂの供給可否の情報を容易に得られ、それに基づく適切な充電施設２の活用を可能とできる。
【００２５】
次に、図２を参照して、この実施の形態における二次電池管理装置４１Ｍについてさらに詳細に説明する。二次電池管理装置４１Ｍは、二次電池３ａの管理チップ３２ａと接続される二次電池情報取得手段４１Ｍ４、総合管理装置２１Ａと接続される送受信手段４１Ｍ１、データ蓄積手段４１Ｍ２、これらを制御する制御手段４１Ｍ３で、この例では構成されている。データ蓄積手段４１Ｍ２には、該二次電池管理装置が接続されている充電器４１Ｊに接続され、充電が行われた二次電池についてのＩＤ情報、放電記録、充電記録、および充電完了情報が記憶される。二次電池管理装置４１Ｍの制御手段４１Ｍ３は、これらの情報を、送受信手段４１Ｍ１を介して、総合管理装置２１Ａへ送信する。また、総合管理装置からの受信完了信号を受け、二次電池に関するこれらの情報を削除し、次の二次電池充電の受け入れ準備を完了する。
【００２６】
次に、図３を参照して、この実施の形態における総合管理装置２１Ａについてさらに詳細に説明する。総合管理装置２１Ａは、送受信手段２１Ａ１、データ蓄積手段２１Ａ２、制御手段２１Ａ３、ストレス度算出手段２１Ａ４、劣化度算出手段２１Ａ５、取引金額算出手段２１Ａ６および料金構成データ２１Ａ７で構成される。
【００２７】
送受信手段２１Ａ１は、二次電池管理装置４１Ｍ，４２Ｍ，・・・からの二次電池情報を受信するとともに、情報提供装置２２Ａからの問合せを受信し、二次電池供給可能か否かの情報、供給価格に関する情報、供給可能な充電施設の位置情報を含む充電施設情報を情報提供装置２２Ａに送信する。
【００２８】
データ蓄積手段２１Ａ２は、二次電池管理装置４１Ｍ，４２Ｍ，・・・から該二次電池管理装置が充電を行った二次電池のＩＤ情報、放電記録、充電記録、二次電池の充電完了情報を受信し、蓄積する。また、該総合管理装置２１Ａが設置されている充電施設（Ａ）２Ａに保管されている個々の二次電池の取引情報を蓄積している。この取引情報としては、各二次電池の交換回数、ストレス度、劣化度を考慮した供給価格、劣化度を考慮した供給可否情報が含まれる。
【００２９】
制御手段２１Ａ３は、二次電池管理装置４１Ｍ，４２Ｍ，・・・や情報提供装置２２Ａとの情報送受信、データ蓄積手段２１Ａ２への情報蓄積、その蓄積情報を使ったストレス度算出手段２１Ａ４によるストレス度算出、劣化度算出手段２１Ａ５による劣化度算出、取引金額算出手段２１Ａ６による取引金額算出を行い、それぞれの結果をデータ蓄積手段２１Ａ２に格納する制御を行う。
【００３０】
ストレス度算出手段２１Ａ４は、二次電池管理装置４１Ｍ，４２Ｍ，・・・から受信した各二次電池３ａ，３ｂの放電記録から放電中に該二次電池に加えられたストレス度を算出する。ストレス度としては、例えば、該二次電池が放電したときの（放電電力量）／（該二次電池の定格容量）および（放電電流）／（該二次電池の定格電流）が１を上回った場合、または一方が１を上回った場合に大とし、１を上回らない場合はストレス度を０とする。ここで算出されたストレス度はデータ蓄積手段２１Ａ２に個別の二次電池ごとのデータとして蓄積される。
【００３１】
劣化度算出手段２１Ａ５は、各二次電池３ａ，３ｂの、例えば、放電電力量／充電電力量をもとに算出する。この値が小さいと劣化が進んでいると判断でき、劣化度大とする。
【００３２】
取引金額算出手段２１Ａ６は、後で詳細に説明するように、基本料金、従量料金をもとに、劣化度とストレス度を考慮した割引、およびストレス度を考慮した割増を加えて算出される。この算出料金で利用者への料金請求を行うと共に、新規利用者に対しては、該二次電池を利用した場合の料金を過去の使用履歴をもとに提示することが出来る。
【００３３】
料金構成データ２１Ａ７は、取引金額を算出するために必要な単金をまとめたデータである。
【００３４】
このように総合管理装置２１Ａは、二次電池管理装置４１Ｍから受信した情報に基づいて利用者からの料金徴収処理と充電施設への料金支払い処理とを実行可能とする。こうして、二次電池供給システム１における二次電池供給の取引及び料金徴収を経済面から円滑に運用でき継続的なサービスの提供を具体化できる。
【００３５】
次に、図４を参照して、この実施の形態における情報提供装置２２Ａについてさらに詳細に説明する。情報提供装置２２Ａは、総合管理装置２１Ａへ充電施設情報の問合わせを送信し、総合管理装置２１Ａから受信した充電施設情報を送信する送受信手段２２Ａ１、充電施設情報などのデータ蓄積手段２２Ａ３、情報表示を行う情報表示手段２２Ａ２などで構成した、情報提供装置の出力手段、充電施設の選択、二次電池３ａ，３ｂ等の予約を行える入力受容手段２２Ａ５、これらの手段を制御する制御手段２２Ａ４をこの例では備える。充電施設情報は、例えば、二次電池の供給可否及びそれら充電施設２の位置、価格の情報を含む。上記の充電施設情報は、充電施設（Ａ）２Ａの位置情報を含むものである。各充電施設２における二次電池の供給可否及びそれら充電施設２の位置、価格の情報を得て、それらに基づく一層適切な充電施設２の活用を可能とできる。
【００３６】
また、図１に示すように、情報提供装置２２Ａは、外部からのインターネットＩなどを介した通信で利用者Ｕによる入力が可能な入力受容手段を備えており、充電施設の選択入力を受容する、該入力受容手段が情報提供装置２２Ａの制御手段２２Ａ４を介して、選択入力された充電施設の二次電池を予約する予約処理の実行を可能とし、一層円滑で適切な充電施設の活用を可能とできる。また、利用者Ｕは各充電施設に一斉に、または最寄の２〜３の施設へ問合せ、条件にあった充電施設を選択することができる。
【００３７】
また、図５に一例としての料金構成５０を示すように、被交換電池６ａあたりの料金構成が、電池保証料に基づく基本料金５１、放電電力量と利用時間に基づく従量料金５３、放電中に該二次電池に加えられたストレス度および既に劣化が進行した電池（電池劣化度が大）を使用した場合における料金割引を配慮した割引料金５５、さらに図５の例では、過放電などによるペナルティ料金５７を含んで構成されている。
【００３８】
放電中に該二次電池に加えられたストレス度は、前述のように、二次電池の定格値に対する実際の放電電流および放電電力量に応じてあらかじめ定義される値であり、定格値に対して小さい電流による放電や、放電電力量が少ない場合には、ストレス度小、逆に定格値を越える電流や電力量を放電した場合はストレス度大とする。
【００３９】
また、電池劣化度は、放電電力量に対する充電電力量の比により算出する。比が１に近いほど電池劣化度は小さく、０に近いほど電池劣化度は大とする。
【００４０】
電池劣化度が大きい、すなわち劣化した二次電池は放電できる電力量が小さく、利用者にとっては利用できる時間が短くなるなどの不便さが生じるため、劣化した電池を使用した場合は料金を割り引くことにより利用者の不便さへの補償を行うことが出来る。
【００４１】
さらに、過放電（ストレス度が大）は、二次電池の寿命に悪影響を与えるものであり、そのような使い方をした利用者に対してはペナルティとして割増料金を請求する。このように、取引金額情報が、交換電池当りの料金構成に基づき算定される。適切な料金構成により、システムを経済面から円滑に運用でき継続的なサービスの提供を具体化できる。
【００４２】
ここで、さらに図５に基づき二次電池交換の料金構成を詳述する。料金構成５０の内の定額料金の基本料５１は、電池保証料をもとにしてここでは決められている。従量料金５３は、放電電力量単価×放電電力量と利用時間単価×利用時間の合計で決められる。割引料金５５は、前述のストレス度に応じてあらかじめ設定した割引額算出法に基づき割引額を決定する。割引額算出法としては、例えば、ストレス度に応じた割引率（ストレス度が小さいほど割引率大）を決めておくことなどが考えられる。また、回数券として、ある期間内の利用回数があらかじめ定めた回数を超えた場合に割引する。さらに電池劣化度が進んでいる二次電池は割引率を大にする。また、ペナルティ５７はストレス度が大きく二次電池にとって過酷な使い方を行った場合に適用され、ストレス度の大きさに応じて料金を割増する。
【００４３】
また、総合管理装置２１Ａが、二次電池を使用する負荷装置６Ａが二次電池６ａと予め想定される化石燃料を動力として利用した場合との二酸化炭素排出量を比較した差分情報を基に環境貢献度情報を算出する手段（図示せず。）を備え、利用者からの料金徴収処理に料金情報の一部として環境貢献度情報を送信するものとすれば、環境貢献へのインセンティブを増し、二次電池利用を促進できる。
【００４４】
上記の二次電池供給システム１においては、充電施設２に設けられて複数の二次電池３の充電を管理する二次電池管理装置４１Ｍ，４２Ｍ，・・・と、二次電池管理装置を複数管理する総合管理装置２１Ａと、利用者に充電施設情報を提供する情報提供装置２２Ａとが備えられ、総合管理装置２１Ａが二次電池管理装置４１Ｍ，４２Ｍ，・・・と情報提供装置２２Ａとに通信可能に接続されて、二次電池を供給するが、二次電池管理装置４１Ｍ，４２Ｍ，・・・は、二次電池の放電、充電、充電完了に関する情報を総合管理装置２１Ａへ送信し、情報提供装置２２Ａは、総合管理装置２１Ａからの応答に基づいて充電施設情報を提供する。これによって、各充電施設における二次電池の供給可否の情報を得て、それに基づく適切な充電施設の活用を可能とできる。
【００４５】
なお、上記の実施の形態では、各充電施設（図１では、充電施設（Ａ）２Ａ，充電施設（Ｂ）２Ｂ，充電施設（Ｃ）２Ｃを示している。）の総合管理装置相互間での情報交換は明示していないが、これは、インターネットＩを介して行うことが可能である。また、各充電施設からの情報は、一つのウエブサイトにまとめられるなどしてインターネットなどの通信手段に掲載されることも可能であり、より総合的で適切な充電施設の活用を可能とできる。
【産業上の利用可能性】
【００４６】
以上のように、本発明による二次電池供給システムと二次電池供給方法は、各充電施設における二次電池の供給可否の情報を得て、それに基づく適切な充電施設の活用を可能とでき、電池交換の料金構成を適切なものとして、二次電池供給システムにおける二次電池を効率的且つ経済的に管理して、二次電池供給を具体的に円滑に運用できサービス向上を図ることのできるため、産業上の利用可能性は大きい。
【図面の簡単な説明】
【００４７】
【図１】本発明による一実施の形態としての二次電池供給システムの全体構成概念図である。
【図２】図１の実施の形態の二次電池供給システムに用いる二次電池管理装置の回路構成例を示す構成ブロック図である。
【図３】図１の実施の形態の二次電池供給システムに用いる総合管理装置の回路構成例を示す回路構成ブロック図である。
【図４】図１の実施の形態の二次電池供給システムに用いる情報提供装置の回路構成例を示す回路構成ブロック図である。
【図５】図１の実施の形態で用いる徴収料金の料金構成を示す料金構成説明図である。
【符号の説明】
【００４８】
１  二次電池供給システム、２  充電施設、２Ａ  充電施設（Ａ）、２Ｂ  充電施設（Ｂ）、２Ｃ  充電施設（Ｃ）、３，３ａ，３ｂ  二次電池、４  充電設備、６Ａ  負荷装置、６ａ  二次電池、２１Ａ  総合管理装置、２１Ａ１  送受信手段、２１Ａ２  データ蓄積手段、２１Ａ３  制御手段、２１Ａ５  劣化度算出手段、２１Ａ６  取引金額算出手段、２１Ａ７  料金構成データ、２２Ａ  情報提供装置、２２Ａ１  送受信手段、２２Ａ２  情報表示手段、２２Ａ３  データ蓄積手段、２２Ａ４  制御手段、２２Ａ５  入力受容手段、３１ａ，３１ｂ  二次電池本体、３２ａ，３２ｂ  管理チップ、４１Ｊ，４２Ｊ  充電器、４１Ｍ，４２Ｍ  二次電池管理装置、４１Ｍ１  送受信手段、４１Ｍ２  データ蓄積手段、４１Ｍ３  制御手段、４１Ｍ４  二次電池情報取得手段、５０  料金構成、５１  基本料金、５３  従量料金、５５  割引料金、５７  ペナルティ料金、６１ａ  電池本体、６２ａ  管理チップ、Ｕ  利用者、Ｉ  インターネット。
【図１】
2009021088.tif 000003
【図２】
2009021088.tif 000004
【図３】
2009021088.tif 000005
【図４】
2009021088.tif 000006
【図５】
2009021088.tif 000007